【手続補正書】
【提出日】平成15年11月12日(2003.11.12)
【手続補正１】
【補正対象書類名】明細書
【補正対象項目名】特許請求の範囲
【補正方法】変更
【補正の内容】
【特許請求の範囲】
【請求項１】
駆動源と、前記駆動源からの出力を伝達して回転する出力軸と、前記出力軸の回転中心を中心として前記出力軸の一端に設けられた断面が多角形のねじれ穴とを有する駆動系、及び、前記ねじれ穴と嵌合する多角形の突起が長手方向の一端に設けられた筒体を有する被駆動系を具備する駆動伝達機構において、
前記筒体は前記多角形の突起と前記ねじれ穴の嵌合により前記駆動系に対して着脱可能であって、互いに嵌合した前記多角形の突起と前記ねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とする駆動力伝達機構。
【請求項２】
駆動源と、前記駆動源からの出力を伝達して回転する出力軸と、前記出力軸の回転中心を中心として前記出力軸の一端に設けられた多角形の突起とを有する駆動系、及び、前記多角形の突起と嵌合する断面が多角形のねじれ穴を長手方向一端に設けられた筒体を有する被駆動系を具備する駆動伝達機構において、
前記筒体は前記多角形の突起と前記ねじれ穴の嵌合により前記駆動系に対して着脱可能であって、互いに嵌合した前記多角形の突起と前記ねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とする駆動力伝達機構。
【請求項３】
それぞれ前記多角形の突起側、又は前記ねじれ穴側に設けられた前記軸部材及び前記穴は、いずれも中心軸が前記多角形の突起、又は前記ねじれ穴のうち取付け側の中心軸に対して同軸であることを特徴とする請求項１、又は２の駆動力伝達機構。
【請求項４】
前記軸部材と前記穴の嵌合ガタは前記多角形の突起と前記ねじれ穴の嵌合ガタよりも小さいことを特徴とする請求項１、２、又は３の駆動力伝達機構。
【請求項５】
前記ねじれ穴は前記出力軸と一体的に回転可能に支持される部材の軸方向一端に設けられることを特徴とする請求項１〜４のいずれかの項に記載の駆動力伝達機構。
【請求項６】
前記出力軸は前記ねじれ穴を有する部材を軸方向に位置決めする手段を有することを特徴とする請求項５の駆動力伝達機構。
【請求項７】
前記ねじれ穴を有する部材は軸方向の付勢手段により前記多角形の突起に対して相対的に軸方向の移動が可能であり、前記出力軸は前記付勢手段の取付け部を有することを特徴とする請求項６の駆動力伝達機構。
【請求項８】
前記軸部材は前記ねじれ穴の底面、又は前記多角形の突起に取付けられ一体的に回転可能であることを特徴とする請求項１〜７のいずれかの項に記載の駆動力伝達機構。
【請求項９】
前記軸部材は前記出力軸の一部であることを特徴とする請求項１〜８のいずれかの項に記載の駆動力伝達機構。
【請求項１０】
前記軸部材はその先端にテーパ形状部を有することを特徴とする請求項１〜９のいずれかの項に記載の駆動力伝達機構。
【請求項１１】
前記多角形の突起は前記ねじれ穴と同じ割合でねじれた形状を有することを特徴とする請求項１〜１０のいずれかの項に記載の駆動力伝達機構。
【請求項１２】
駆動源と、前記駆動源からの出力を伝達して回転する出力軸と、前記出力軸の回転中心を中心として前記出力軸の一端に設けられた断面が多角形のねじれ穴とを有する駆動系を備えた電子写真画像形成装置本体に着脱可能であって、前記ねじれ穴と嵌合する多角形の突起が長手方向の一端に設けられた筒体を有する被駆動系を具備するプロセスカートリッジにおいて、
前記筒体は、前記多角形の突起と前記ねじれ穴の嵌合により前記駆動系に対して着脱可能であって、互いに嵌合した前記多角形の突起と前記ねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とするプロセスカートリッジ。
【請求項１３】
駆動源と、前記駆動源からの出力を伝達して回転する出力軸と、前記出力軸の回転中心を中心として前記出力軸の一端に設けられた多角形の突起とを有する駆動系を備えた電子写真画像形成装置本体に着脱可能であって、前記多角形の突起と嵌合する断面が多角形のねじれ穴を長手方向の一端に設けられた筒体を有する被駆動系を具備するプロセスカートリッジにおいて、
前記筒体は、前記多角形の突起と前記ねじれ穴の嵌合により前記駆動系に対して着脱可能であって、互いに嵌合した前記多角形の突起と前記ねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とするプロセスカートリッジ。
【請求項１４】
それぞれ前記多角形の突起側、又は前記ねじれ穴側に設けられた前記軸部材及び前記穴は、いずれも中心軸が前記多角形の突起又は前記ねじれ穴のうち取付け側である方の中心軸に対して同軸であることを特徴とする請求項１２、又は１３のプロセスカートリッジ。
【請求項１５】
前記軸部材と前記穴の嵌合ガタは前記多角形の突起と前記ねじれ穴の嵌合ガタよりも小さいことを特徴とする請求項１２、１３、又は１４のプロセスカートリッジ。
【請求項１６】
前記ねじれ穴は前記出力軸と一体回転可能に支持される部材の軸方向一端に設けられることを特徴とする請求項１２〜１５のいずれかの項に記載のプロセスカートリッジ。
【請求項１７】
前記出力軸は前記ねじれ穴を有する部材を軸方向に位置決めする手段を有することを特徴とする請求項１６のプロセスカートリッジ。
【請求項１８】
前記ねじれ穴を有する部材は軸方向の付勢手段により前記多角形の突起に対して相対的に軸方向の移動が可能であり、前記出力軸は前記付勢手段の取付け部を有することを特徴とする請求項１７のプロセスカートリッジ。
【請求項１９】
前記軸部材は前記ねじれ穴の底面、又は多角形の突起に取付けられ一体に回転可能であることを特徴とする請求項１２〜１８のいずれかの項に記載のプロセスカートリッジ。
【請求項２０】
前記軸部材は前記出力軸の一部であることを特徴とする請求項１２〜１９のいずれかの項に記載のプロセスカートリッジ。
【請求項２１】
前記多角形の突起は前記ねじれ穴と同じ割合でねじれた形状を有することを特徴とする請求項１２〜２０のいずれかの項に記載のプロセスカートリッジ。
【請求項２２】
前記筒体は電子写真感光体であることを特徴とする請求項１２〜２１のいずれかの項に記載のプロセスカートリッジ。
【請求項２３】
更に、帯電手段、現像手段、クリーニング手段のうち少なくとも一つを有することを特徴とする請求項２２のプロセスカートリッジ。
【請求項２４】
駆動源と、前記駆動源からの出力を伝達して回転する出力軸と、前記出力軸の回転中心を中心として前記出力軸の一端に設けられた断面が多角形のねじれ穴とを有する駆動系、及び、前記ねじれ穴と嵌合する多角形の突起が長手方向の一端に設けられた筒体を有する被駆動系を具備する駆動伝達機構を用いる画像形成装置において、
前記筒体は、前記多角形の突起と前記ねじれ穴の嵌合により前記駆動系に対して着脱可能であって、互いに嵌合した前記多角形の突起とねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とする画像形成装置。
【請求項２５】
駆動源と、前記駆動源からの出力を伝達して回転する出力軸と、前記出力軸の回転中心を中心として前記出力軸の一端に設けられた断面が多角形のねじれ穴とを有する駆動系を具備する画像形成装置本体に、前記ねじれ穴と嵌合する多角形の突起が長手方向の一端に設けられた筒体を有する被駆動系を具備するプロセスカートリッジが着脱可能な画像形成装置において、
前記筒体は、前記多角形の突起と前記ねじれ穴の嵌合により前記駆動系に対して着脱可能であって、互いに嵌合した前記多角形の突起とねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とする画像形成装置。
【請求項２６】
駆動源と、前記駆動源からの出力を伝達して回転する出力軸と、前記出力軸の回転中心を中心として前記出力軸の一端に設けられた多角形の突起とを有する駆動系、及び、前記多角形の突起と嵌合する断面が多角形のねじれ穴を長手方向の一端に設けられた筒体を有する被駆動系を具備する駆動伝達機構を用いる画像形成装置において、
前記筒体は、前記多角形の突起と前記ねじれ穴の嵌合により前記駆動系に対して着脱可能であって、互いに嵌合した前記多角形の突起と前記ねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とする画像形成装置。
【請求項２７】
駆動源と、前記駆動源からの出力を伝達して回転する出力軸と、前記出力軸の回転中心を中心として前記出力軸の一端に設けられた多角形の突起とを有する駆動系を具備する画像形成装置本体に対して、前記多角形の突起と嵌合する断面が多角形のねじれ穴を長手方向の一端に設けられた筒体を有する被駆動系を具備するプロセスカートリッジが着脱可能な画像形成装置において、
前記筒体は、前記多角形の突起と前記ねじれ穴の嵌合により前記駆動系に対して着脱可能であって、互いに嵌合した前記多角形の突起と前記ねじれ穴の複数の点、又は面における当接により前記駆動系の駆動力を前記被駆動系に伝達し、前記多角形の突起側、又は前記ねじれ穴側の何れか一方は長手方向に突出した軸部材を有し、他方は前記軸部材と嵌合する穴を有することを特徴とする画像形成装置。
【請求項２８】
それぞれ前記多角形の突起側、又は前記ねじれ穴側に設けられた前記軸部材及び前記穴は、いずれも中心軸が前記多角形の突起又は前記ねじれ穴のうち取付け側である方の中心軸に対して同軸であることを特徴とする請求項２４〜２７のいずれかの項に記載の画像形成装置。
【請求項２９】
前記軸部材と前記穴の嵌合ガタは前記多角形の突起と前記ねじれ穴の嵌合ガタよりも小さいことを特徴とする請求項２４〜２８のいずれかの項に記載の画像形成装置。
【請求項３０】
前記多角形の突起は前記出力軸と一体的に回転可能に支持される部材の軸方向一端に設けられることを特徴とする請求項２４〜２９のいずれかの項に記載の画像形成装置。
【請求項３１】
前記出力軸は前記多角形の突起を有する部材を軸方向に位置決めする手段を有することを特徴とする請求項３０の画像形成装置。
【請求項３２】
前記部材は軸方向の付勢手段により前記ねじれ穴に対して相対的に軸方向の移動が可能であり、前記出力軸は前記付勢手段の取付け部を有することを特徴とする請求項３１の画像形成装置。
【請求項３３】
前記軸部材は前記ねじれ穴の底面又は多角形の突起に取付けられ一体に回転可能であることを特徴とする請求項２４〜３２のいずれかの項に記載の画像形成装置。
【請求項３４】
前記軸部材は前記出力軸であることを特徴とする請求項２４〜３３のいずれかの項に記載の画像形成装置。
【請求項３５】
前記軸部材はその先端にテーパ形状部を有することを特徴とする請求項２４〜３４のいずれかの項に記載の画像形成装置。
【請求項３６】
前記多角形の突起は前記ねじれ穴と同じ割合でねじれた形状を有することを特徴とする請求項２４〜３５のいずれかの項に記載の画像形成装置。
【請求項３７】
前記筒体は電子写真感光体であることを特徴とする請求項２４〜３６のいずれかの項に記載の画像形成装置。
【請求項３８】
前記プロセスカートリッジは、更に、帯電手段、現像手段、クリーニング手段のうち少なくとも一つを有することを特徴とする請求項３７の画像形成装置。